(57)【要約】【課題】小型化及び薄型化を図りつつ記憶媒体に対する情報信号の書込時における記憶媒体のスロットからの引き抜きを防止する。【解決手段】記憶媒体１００を保持するホルダー２と、記憶媒体の接続端子１０５、１０５、・・・が接続される端子電極と、記憶媒体のスロット２０１ａに対する挿入方向及び取出方向へ移動可能とされたプランジャー１５と、記憶媒体の係合凹部１０９に係合されてホルダーに保持された記憶媒体をロックするロック位置と記憶媒体の係合凹部から引き抜かれてホルダーに保持された記憶媒体のロックを解除するロック解除位置との間をプランジャーの移動に伴って移動されるロック部材４とを設け、少なくとも記憶媒体に対する情報信号の書込が行われている状態においてはロック部材が上記ロック位置に移動され、少なくとも記憶媒体に対する情報信号の書込及び読取が何れも行われていない状態においてはロック部材が上記ロック解除位置に移動されるようにした。【選択図】        図７
2004334562.tif 000002
【特許請求の範囲】
【請求項１】
電子機器に形成されたスロットの内部に配置されると共に係合凹部及び接続端子を有しスロットに挿入された板状の記憶媒体が装着されて該記憶媒体に対する情報信号の書込又は読取が行われる記憶媒体ドライブ装置であって、
記憶媒体を保持するホルダーと、
記憶媒体の接続端子が接続される端子電極と、
記憶媒体のスロットに対する挿入方向及び取出方向へ移動可能とされたプランジャーと、
記憶媒体の係合凹部に係合されてホルダーに保持された記憶媒体をロックするロック位置と記憶媒体の係合凹部から引き抜かれてホルダーに保持された記憶媒体のロックを解除するロック解除位置との間をプランジャーの移動に伴って移動されるロック部材とを備え、
少なくとも記憶媒体に対する情報信号の書込が行われている状態においてはロック部材が上記ロック位置に移動され、少なくとも記憶媒体に対する情報信号の書込及び読取が何れも行われていない状態においてはロック部材が上記ロック解除位置に移動されるようにした
ことを特徴とする記憶媒体ドライブ装置。
【請求項２】
上記ロック部材を記憶媒体のスロットに対する上記挿入方向に対して傾斜された摺動孔を有する作用部と記憶媒体の係合凹部に係合されるロック突部とによって構成し、
プランジャーに連結されると共にロック部材の摺動孔の傾斜方向と同じ方向に傾斜され摺動孔に摺動自在に支持される軸部を設け、
プランジャーの移動に伴って軸部が作用部に対して移動されたときに、ロック部材をロック位置とロック解除位置との間で案内する案内部とを設けた
ことを特徴とする請求項１に記載の記憶媒体ドライブ装置。
【請求項３】
スロットの内部に配置されると共に係合凹部及び接続端子を有しスロットに挿入された板状の記憶媒体が装着されて該記憶媒体に対する情報信号の書込又は読取が行われる記憶媒体ドライブ装置を備えた電子機器であって、
記憶媒体ドライブ装置は、
記憶媒体を保持するホルダーと、
記憶媒体の接続端子が接続される端子電極と、
記憶媒体のスロットに対する挿入方向及び取出方向へ移動可能とされたプランジャーと、
記憶媒体の係合凹部に係合されてホルダーに保持された記憶媒体をロックするロック位置と記憶媒体の係合凹部から引き抜かれてホルダーに保持された記憶媒体のロックを解除するロック解除位置との間をプランジャーの移動に伴って移動されるロック部材とを備え、
少なくとも記憶媒体に対する情報信号の書込が行われている状態においてはロック部材が上記ロック位置に移動され、少なくとも記憶媒体に対する情報信号の書込及び読取が何れも行われていない状態においてはロック部材が上記ロック解除位置に移動されるようにした
ことを特徴とする記憶媒体ドライブ装置を備えた電子機器。
【請求項４】
上記ロック部材を記憶媒体のスロットに対する上記挿入方向に対して傾斜された摺動孔を有する作用部と記憶媒体の係合凹部に係合されるロック突部とによって構成し、
プランジャーに連結されると共にロック部材の摺動孔の傾斜方向と同じ方向に傾斜され摺動孔に摺動自在に支持される軸部を設け、
プランジャーの移動に伴って軸部が作用部に対して移動されたときに、ロック部材をロック位置とロック解除位置との間で案内する案内部とを設けた
ことを特徴とする請求項３に記載の記憶媒体ドライブ装置を備えた電子機器。
【発明の詳細な説明】
【０００１】
【発明の属する技術分野】
本発明は記憶媒体ドライブ装置及びこれを備えた電子機器に関する。詳しくは、当該装置の小型化及び薄型化を図りつつ記憶媒体に対する情報信号の書込時における記憶媒体のスロットからの引き抜きを防止する技術分野に関する。
【０００２】
【従来の技術】
記憶媒体、例えば、半導体メモリーと複数の接続端子とを有する板状の記憶媒体が装着されて該記憶媒体に対して情報信号の書込又は読取が行われる記憶媒体ドライブ装置がある。このような記憶媒体ドライブ装置は、例えば、各種の音響機器、パーソナルコンピュータ、携帯電話、携帯情報端末等の各種の電子機器に設けられている。
【０００３】
一般に、記憶媒体ドライブ装置は電子機器に形成されたスロットの内部に設けられており、記憶媒体がスロットに挿入されたときに記憶媒体の接続端子が記憶媒体ドライブ装置の端子電極に接続されて、電子機器と記憶媒体との間で情報信号の授受が可能な状態とされる。
【０００４】
このような記憶媒体ドライブ装置においては、記憶媒体に対する情報信号の書込動作中に記憶媒体がスロットから引き抜かれてしまうと、記憶媒体のメモリ領域（半導体メモリー）が破損して記憶媒体に書き込まれていた情報が消失したり、それ以後記憶媒体が使用できなくなってしまうおそれがある。
【０００５】
そこで、書込動作中の記憶媒体のスロットからの引き抜きを防止するために、記憶媒体がスロットに挿入された状態において、スロットを閉塞するシャッターが設けられた電子機器がある。
【０００６】
しかしながら、このようなシャッターを有する電子機器にあっては、記憶媒体の全体をスロットに挿入する必要があるため、記憶媒体の挿入スペースが大きく電子機器の大型化を来たすという問題がある。
【０００７】
一方、記憶媒体の一部のみをスロットに挿入可能とした場合には、スロットから外部へ突出された部分を把持して記憶媒体を引き抜くことが可能となるが、上記した書込動作中の記憶媒体のスロットからの引き抜きを防止するために、記憶媒体ドライブ装置に記憶媒体が装着された状態においてロック機構によって記憶媒体を記憶媒体ドライブ装置に対してロックするようにしたものがある（例えば、特許文献１参照）。
【０００８】
この従来の記憶媒体ドライブ装置（カード型記憶媒体装着装置）にあっては、記憶媒体ドライブ装置に記憶媒体が装着された状態において、ソレノイドの駆動によって係合突起を記憶媒体の係合溝に係合してロック状態を確保するようにしている。
【０００９】
【特許文献１】
実開平７―２９６１９号公報（第１図）
【００１０】
【発明が解決しようとする課題】
ところが、上記した従来の記憶媒体ドライブ装置及びこれを備えた電子機器にあっては、ソレノイドに通電されたときに移動されて係合突起を移動させる移動軸の移動方向が、板状の記憶媒体の厚み方向、即ち、記憶媒体のスロットに対する挿入方向に対して直交する方向とされている。同じく、移動軸の移動によって移動される係合突起の移動方向も、板状の記憶媒体の厚み方向とされている。
【００１１】
従って、従来の記憶媒体ドライブ装置及びこれを備えた電子機器にあっては、移動軸及び係合突起の移動方向、即ち、記憶媒体の厚み方向において移動軸及び係合突起の大きな移動スペースを確保する必要があり、その分、記憶媒体ドライブ装置が大型化され、特に、薄型化に支障を来たすと言う問題がある。
【００１２】
携帯用の電子機器にあっては、小型化及び薄型化の必要性が大きく、上記のように、移動軸及び係合突起の移動方向が記憶媒体の厚み方向となるようにされていると、特に、問題となってしまう。
【００１３】
そこで、本発明記憶媒体ドライブ装置及びこれを備えた電子機器は、小型化及び薄型化を図りつつ記憶媒体に対する情報信号の書込時における記憶媒体のスロットからの引き抜きを防止することを課題とする。
【００１４】
【課題を解決するための手段】
本発明記憶媒体ドライブ装置及びこれを備えた電子機器は、上記した課題を解決するために、記憶媒体を保持するホルダーと、記憶媒体の接続端子が接続される端子電極と、記憶媒体のスロットに対する挿入方向及び取出方向へ移動可能とされたプランジャーと、記憶媒体の係合凹部に係合されてホルダーに保持された記憶媒体をロックするロック位置と記憶媒体の係合凹部から引き抜かれてホルダーに保持された記憶媒体のロックを解除するロック解除位置との間をプランジャーの移動に伴って移動されるロック部材とを設け、少なくとも記憶媒体に対する情報信号の書込が行われている状態においてロック部材を上記ロック位置に移動し、少なくとも記憶媒体に対する情報信号の書込及び読取が何れも行われていない状態においてロック部材を上記ロック解除位置に移動するようにしたものである。
【００１５】
従って、本発明記憶媒体ドライブ装置及びこれを備えた電子機器にあっては、プランジャーの上記挿入方向及び取出方向への移動に伴ってロック部材がロック位置とロック解除位置との間で移動される。
【００１６】
【発明の実施の形態】
以下に、本発明記憶媒体ドライブ装置及びこれを備えた電子機器の実施の形態を添付図面に従って説明する。
【００１７】
先ず、記憶媒体ドライブ装置に装着されて情報信号の読み書きが行われる板状の記憶媒体について説明する（図１乃至図３参照）。
【００１８】
記憶媒体１００は一方向に長い扁平な略矩形状に形成され（図１参照）、筐体１０１にフラッシュメモリー等の半導体メモリーが内蔵されている。筐体１０１は最大の面積を有する第１の主面１０１ａと該第１の主面１０１ａの反対側の面である第２の主面１０１ｂとを有している。
【００１９】
第１の主面１０１ａの長手方向における一端部に接続部１０２が設けられている。接続部１０２には、第１の主面１０１ａの短手方向に離隔して等間隔に設けられた複数の仕切壁１０３、１０３、・・・によって、例えば、１０個の接続用凹部１０４、１０４、・・・が形成されている。接続用凹部１０４、１０４、・・・は第１の主面１０１ａの長手方向における一方及び第１の主面１０１ａ側に開口され、接続用凹部１０４、１０４、・・・にはそれぞれ接続端子１０５、１０５、・・・が配置されている。
【００２０】
記憶媒体１００の接続部１０２に隣接する部分は筐体１０１の厚み方向に開口された切欠部１０６として設けられ、該切欠部１０６の外縁が略円弧状を為す面取り部１０７として形成されている。
【００２１】
第１の主面１０１ａの接続部１０２の近傍には、誤記録防止摘子１０８がスライド自在に設けられている。誤記録防止摘子１０８は、一方にスライドされた状態において半導体メモリーへの情報信号の書き込みを可能とし、他方にスライドされた状態において半導体メモリーへの情報信号の書き込みを不能とする機能を有する。
【００２２】
筐体１０１には、誤記録防止摘子１０８の側方に係合凹部１０９が形成されている。係合凹部１０９は、記憶媒体１００が後述するスロットに挿入されたときに該スロットの内部に設けられた後述するロック部材が係合可能とされる。
【００２３】
上記接続端子１０５、１０５、・・・は、１０個の平面端子電極（端子Ｔ１乃至Ｔ１０）によって構成されている（図２参照）。
【００２４】
端子Ｔ１及び端子Ｔ１０は検出電圧ＶＳＳ端子である。端子Ｔ２はシリアルプロトコルバスステート信号ＢＳの入力端子である。端子Ｔ３及び端子Ｔ９は電源電圧ＶＣＣ端子である。端子Ｔ４はシリアルプロトコル情報信号の入出力端子である。端子Ｔ５及び端子Ｔ７は予備端子である。端子Ｔ６は記憶媒体１００の検出用の検出端子である。端子Ｔ８はシリアルクロックＳＣＬＫの入力端子である。
【００２５】
次に、端子Ｔ１乃至Ｔ１０と記憶媒体１００の内部構造との関係を説明する（図３参照）。
【００２６】
筐体１０１の内部には、コントロールＩＣ１１０と半導体メモリー１１１とが配置されている。
【００２７】
コントロールＩＣ１１０は半導体メモリー１１１に対する情報信号の読み書きを行う機能を有している。コントロールＩＣ１１０は端子Ｔ２、端子Ｔ４及び端子Ｔ８と接続され、端子Ｔ２からシリアルプロトコルバスステート信号ＢＳが入力され、端子Ｔ８からシリアルクロックＳＣＬＫが入力される。
【００２８】
書込動作時には、端子Ｔ２から入力されるシリアルプロトコルバスステート信号ＢＳ及び端子Ｔ８から入力されるシリアルクロックＳＣＬＫに基づいて、半導体メモリー１１１に対して後述する電子機器から端子Ｔ４を介して入力される情報信号の書き込みが行われる。
【００２９】
読出動作時には、シリアルプロトコルバスステート信号ＢＳ及びシリアルクロックＳＣＬＫに基づいて、半導体メモリー１１１からの情報信号の読み出しが行われ、端子Ｔ４を介して読み出された情報信号が電子機器に対して出力される。
【００３０】
検出電圧ＶＳＳは端子Ｔ６に入力され、抵抗Ｒによって端子Ｔ６の電圧が検出され、記憶媒体１００の接続端子１０５、１０５、・・・が後述する記憶媒体ドライブ装置の各端子電極に接続されているかどうかの検出が行われる。
【００３１】
次に、記憶媒体１００が装着される記憶媒体ドライブ装置１及び該記憶媒体ドライブ装置１が設けられた電子機器２００について説明する（図４及び図５参照）。記憶媒体ドライブ装置１は各種の音響機器、パーソナルコンピュータ、携帯電話、携帯情報端末等の各種の電子機器に設けられ、これらの電子機器において、スロットから挿入された記憶媒体１００に対して、例えば、動画情報信号、静止画情報信号、音声情報信号、ＨｉＦｉ情報信号（音楽情報信号）、コンピュータ用情報信号、制御用情報信号等の各種の情報信号の書込又は読取が行われる。
【００３２】
記憶媒体ドライブ装置１は電子機器２００の外筐内２０１に配置され（図４参照）、該外筐２０１には記憶媒体１００の記憶媒体ドライブ装置１への挿入又は記憶媒体１００の記憶媒体ドライブ装置１からの取出を行うためのスロット２０１ａが形成されている。尚、図４には、電子機器の一例として、ＰＤＡ（Ｐｅｒｓｏｎａｌ  Ｄｉｇｉｔａｌ  Ａｓｓｉｓｔａｎｃｅ）を示している。
【００３３】
電子機器２００には、電源のオン・オフを行うための電源釦、記憶媒体１００に対して情報信号の書込を行うための書込釦、記憶媒体１００に書き込まれた情報信号の読取を行うための読取釦、スロット２０１ａに挿入された記憶媒体１００を電子機器２００から取り出すためのイジェクト釦等の各種の操作釦が設けられている。
【００３４】
記憶媒体ドライブ装置１は記憶媒体１００を保持するホルダー２と電磁アクチュエーター３と該電磁アクチュエーター３によって動作されるロック部材４とを備えている（図５参照）。
【００３５】
ホルダー２は、板状の略長方形状に形成されたベース部５と、該ベース部５の左右両側縁に設けられた側面部６、７とから成り、側面部６、７はベース部５から直角に折り曲げれて形成されている。ホルダー２は図示しないシャーシに取り付けられている。
【００３６】
ベース部５の長手方向における一端寄りの位置には、横長の配置孔５ａが形成されている。
【００３７】
ベース部５の一端部には横長の電極取付部材８が取り付けられている。電極取付部材８は横長の形状に形成され、その長手方向に並ぶようにして複数の端子電極９、９、・・・が取り付けられている。端子電極９、９、・・・は弾性変形可能とされ、ピッチが記憶媒体１００の接続端子１０５、１０５、・・・のピッチと同じにされている。端子電極９、９、・・・はベース部５の配置孔５ａに対応して位置されている。端子電極９、９、・・・は図示しない回路基板を介して電子機器１の内部に設けられた駆動回路と接続されている。
【００３８】
ベース部５の一端部には閉塞部材１０が取り付けられている。閉塞部材１０の長手方向における一端部には、ホルダー２の長手方向に突出された係合突部１０ａが設けられている。
【００３９】
側面部６にはロック部材４を挿通するための挿通孔６ａが形成されている。側面部６の内面側にはホルダー２に保持される記憶媒体１００をホルダー２から排出するためのスライド機構部１１が配置され、該スライド機構部１１には側面部６の挿通孔６ａに連通する図示しない挿入孔が形成されている。
【００４０】
電磁アクチュエーター３はホルダー２の側方において側面部６に隣接した位置に配置されている。電磁アクチュエーター３は基体１２に所要の各部が支持又は配置されて成る。
【００４１】
基体１２はヨークとして機能し、例えば、上下に貫通された縦長の枠状を為し、磁性金属材料によって形成されている。基体１２はその長手方向において対向して位置された第１の壁部１２ａ、第２の壁部１２ｂと、該第１の壁部１２ａ、第２の壁部１２ｂ間を連結する側壁部１２ｃ、１２ｃとから成る。第２の壁部１２ｂは第１の壁部１２ａより端子電極９、９、・・・側に位置され、第２の壁部１２ｂには図示しないプランジャー挿通孔が形成されている。
【００４２】
基体１２の内側には、その長手方向に延びる円筒状の支持筒１３が配置され、該支持筒１３を覆うようにして円筒状の図示しない電磁コイルが基体１２の内部に配置されている。支持筒１３も基体１２と同様に、例えば、磁性金属材料によって形成されている。
【００４３】
支持筒１３の内部には第１の壁部１２ａ側に受け部材１４が固定され、該受け部材１４は略円柱状に形成されている。
【００４４】
支持筒１３の内部には、例えば、鉄材料によって形成されたプランジャー１５が支持筒１３の軸方向、即ち、図５に示すＸ１―Ｘ２方向へ移動可能とされている。Ｘ１方向は記憶媒体１００がスロット２０１ａから挿入される挿入方向と同じ方向であり、Ｘ２方向は記憶媒体１００がスロット２０１ａから引き出される取出方向と同じ方向である。プランジャー１５は、その一部が第２の壁部１２ｂのプランジャー挿通孔を介してＸ１方向へ突出されている。
【００４５】
基体１２の内部には図示しないマグネットが配置されている。
【００４６】
プランジャー１５のＸ１方向側の端部にはバネ支持部１６が設けられている。プランジャー１５には圧縮コイルバネ１７が支持され、該圧縮コイルバネ１７はバネ支持部１６と基体１２の第２の壁部１２ｂとの間で縮設されている。従って、バネ支持部１６及びプランジャー１５はＸ１方向へ付勢されている。
【００４７】
バネ支持部１６にはプランジャー１５の反対側の面に軸部１８が設けられている。軸部１８は、その軸方向がＸ１方向に対して傾斜されており、Ｘ１方向へ行くに従ってホルダー２の側面部６から離隔するようにされている。
【００４８】
軸部１８はロック部材４に移動自在に支持されている。ロック部材４は軸部１８を支持する作用部１９と記憶媒体１００の係合凹部１０９に係合されるロック突部２０とから成り、作用部１９には軸部１８を摺動自在に支持する摺動孔１９ａが形成されている。従って、摺動孔１９ａは軸部１８の傾斜方向と同じ方向へ延びるように傾斜されている。
【００４９】
ホルダー２が取り付けられたシャーシには、Ｘ１―Ｘ２方向と直交する方向、即ち、図５に示すＹ１―Ｙ２方向へ延びる平行な案内部２１、２１が設けられている。案内部２１、２１間にはロック部材４の作用部１９が移動自在に支持され、案内部２１、２１に案内されてロック部材４が後述するロック位置とロック解除位置との間で移動される。
【００５０】
以下に、記憶媒体ドライブ装置１の動作について説明する（図６及び図７参照）。
【００５１】
記憶媒体１００が電子機器２００のスロット２０１ａから挿入される前の状態においては、電磁アクチュエーター３のコイルに通電が行われており、電磁アクチュエーター３に発生する磁界によってプランジャー１５にＸ２方向への移動力が生じている。従って、プランジャー１５はバネ支持部１６及び軸部１８とともに圧縮コイルバネ１７の付勢力に抗してＸ２方向へ移動され、一端面が受け部材１４に接して受けられた状態で保持されている（図６参照）。このときロック部材４はロック解除位置に保持され、ロック突部２０がホルダー２の側面部６の外面側に位置されている。
【００５２】
尚、電磁アクチュエーター３のコイルへの通電は、例えば、使用者が電子機器２００の電源釦を操作してオン状態とすることにより電子機器２００に設けられた図示しない電流供給回路によって行われる。
【００５３】
記憶媒体１００は、筐体１０１の第１の主面１０１ａがホルダー２のベース部５と対向する向きで電子機器２００のスロット２０１ａから挿入される（図４参照）。記憶媒体１００がスロット２０１ａから挿入されると、接続端子１０５、１０５、・・・がそれぞれ端子電極９、９、・・・に接続され記憶媒体１００がホルダー２に保持される。接続端子１０５、１０５、・・・がそれぞれ端子電極９、９、・・・に接続されると、上記したように、抵抗Ｒによって端子Ｔ６の電圧が検出され、記憶媒体１００の接続端子１０５、１０５、・・・と端子電極９、９、・・・との接続状態が検出される。
【００５４】
接続端子１０５、１０５、・・・がそれぞれ端子電極９、９、・・・に接続された状態においては、記憶媒体１００の切欠部１０６に閉塞部材１０の係合突部１０ａが挿入されて係合される。
【００５５】
端子電極９、９、・・・は弾性変形されるため、接続端子１０５、１０５、・・・は端子電極９、９、・・・が下方から弾接された状態で該端子電極９、９、・・・に接続される。記憶媒体１００がホルダー２に保持された状態においては、記憶媒体１００の一部がスロット２０１ａから外方へ突出されている。
【００５６】
端子電極９、９、・・・と接続端子１０５、１０５、・・・がそれぞれ接続され、電子機器２００の書込釦が操作されると、電子機器２００の内部に設けられたマイクロコンピュータ（マイコン）によって記憶媒体１００に対する情報信号の書込動作が開始される旨が検出される。
【００５７】
情報信号の書込動作が開始される旨が検出されると、電流供給回路による電磁アクチュエーター３のコイルへの通電が停止される。電磁アクチュエーター３のコイルへの通電が停止されると、プランジャー１５に対して付与されていたＸ２方向への移動力が解除され、プランジャー１５、バネ支持部１６及び軸部１８が一体となって圧縮コイルバネ１７の付勢力によってＸ１方向へ移動される（図７参照）。
【００５８】
プランジャー１５、バネ支持部１６及び軸部１８がＸ１方向へ移動されると、ロック部材４の作用部１９の軸部１８に対する位置が変化されてロック部材４が案内部２１、２１に案内されてＹ２方向へ移動され、ロック突部２０が側面部６の挿通孔６ａ及びスライド機構部１１の挿入孔を順に挿通されて記憶媒体１００の係合凹部１０９に係合される（図７参照）。従って、記憶媒体１００はホルダー２に対してロックされ、使用者は記憶媒体１００をスロット２０１ａから引き出すことができない状態となる。
【００５９】
記憶媒体１００に対する情報信号の書込動作が完了すると、マイコンによって書込動作が完了した旨が検出され、再び、電流供給回路によって電磁アクチュエーター３のコイルへの通電が行われる。
【００６０】
電磁アクチュエーター３のコイルへの通電が行われると、プランジャー１５に再びＸ２方向への移動力が付与され、プランジャー１５はバネ支持部１６及び軸部１８とともに圧縮コイルバネ１７の付勢力に抗してＸ２方向へ移動され、ロック部材４は案内部２１、２１に案内されてＹ１方向へ移動され、ロック突部２０がホルダー２の側面部６の挿通孔６ａから引き出されてロック部材４が再びロック解除位置に保持される（図６参照）。
【００６１】
従って、記憶媒体１００のホルダー２に対するロックが解除され、使用者は記憶媒体１００を、スロット２０１ａから外方へ突出された部分を把持して該スロット２０１ａから引き抜いて取り出すことが可能となる。尚、電子機器２００にあっては、電子機器２００に設けられたイジェクト釦を操作することにより、スライド機構部１１の動作によって記憶媒体１００を自動で取り出すことも可能である。
【００６２】
尚、上記には、記憶媒体１００に対する情報信号の書込動作中に記憶媒体１００をロックする例を示したが、記憶媒体１００に対する情報信号の読取動作中にも記憶媒体１００をロック状態としてもよく、逆に、記憶媒体１００に対する情報信号の読取動作中には記憶媒体１００をロック解除状態としてもよい。
【００６３】
以上に記載した通り、記憶媒体ドライブ装置１にあっては、記憶媒体１００のスロット２０１ａへの挿入方向及び取出方向へプランジャー１５が移動されて、記憶媒体１００に対する情報信号の書込動作が行われている状態において記憶媒体１００がロックされると共に情報信号の書込動作及び読取動作が行われていない状態において記憶媒体１００のロックが解除されるため、電磁アクチュエーター３及びロック部材４の配置スペースが小さくて済み、記憶媒体ドライブ装置１の小型化及び薄型化を図りつつ記憶媒体１００に対する情報信号の書込時における記憶媒体１００のスロット２０１ａからの引き抜きを防止することができる。
【００６４】
また、記憶媒体ドライブ装置１にあっては、ともに同じ方向へ傾斜された摺動孔１９ａに軸部１８を摺動自在に支持し、プランジャー１５の移動に伴ってロック部材４をロック位置とロック解除位置との間で移動させているため、ロック部材４を移動させるための機構の簡素化を図ることができると共にロック部材４のロック位置とロック解除位置との間の移動を確実に行うことができる。
【００６５】
尚、上記には、記憶媒体として筐体１０１の第１の主面１０１ａに接続端子１０５、１０５、・・・が設けられた記憶媒体１００を例として示したが、記憶媒体はこれに限られることがなく、筐体の周面に接続端子が設けられた他のタイプの記憶媒体等であってもよい。
【００６６】
上記した実施の形態において示した各部の形状及び構造は、何れも本発明の実施に際しての具体化のほんの一例を示したものに過ぎず、これらによって、本発明の技術的範囲が限定的に解釈されることがあってはならないものである。
【００６７】
【発明の効果】
以上に記載したところから明らかなように、本発明記憶媒体ドライブ装置は、電子機器に形成されたスロットの内部に配置されると共に係合凹部及び接続端子を有しスロットに挿入された板状の記憶媒体が装着されて該記憶媒体に対する情報信号の書込又は読取が行われる記憶媒体ドライブ装置であって、記憶媒体を保持するホルダーと、記憶媒体の接続端子が接続される端子電極と、記憶媒体のスロットに対する挿入方向及び取出方向へ移動可能とされたプランジャーと、記憶媒体の係合凹部に係合されてホルダーに保持された記憶媒体をロックするロック位置と記憶媒体の係合凹部から引き抜かれてホルダーに保持された記憶媒体のロックを解除するロック解除位置との間をプランジャーの移動に伴って移動されるロック部材とを備え、少なくとも記憶媒体に対する情報信号の書込が行われている状態においてはロック部材が上記ロック位置に移動され、少なくとも記憶媒体に対する情報信号の書込及び読取が何れも行われていない状態においてはロック部材が上記ロック解除位置に移動されるようにしたことを特徴とする。
【００６８】
従って、プランジャー及びロック部材の配置スペースが小さくて済み、記憶媒体ドライブ装置の小型化及び薄型化を図りつつ記憶媒体に対する情報信号の書込時における記憶媒体のスロットからの引き抜きを防止することができる。
【００６９】
請求項２に記載した発明にあっては、上記ロック部材を記憶媒体のスロットに対する上記挿入方向に対して傾斜された摺動孔を有する作用部と記憶媒体の係合凹部に係合されるロック突部とによって構成し、プランジャーに連結されると共にロック部材の摺動孔の傾斜方向と同じ方向に傾斜され摺動孔に摺動自在に支持される軸部を設け、プランジャーの移動に伴って軸部が作用部に対して移動されたときに、ロック部材をロック位置とロック解除位置との間で案内する案内部とを設けたので、ロック部材を移動させるための機構の簡素化を図ることができると共にロック部材のロック位置とロック解除位置との間の移動を確実に行うことができる。
【００７０】
本発明記憶媒体ドライブ装置を備えた電子機器は、スロットの内部に配置されると共に係合凹部及び接続端子を有しスロットに挿入された板状の記憶媒体が装着されて該記憶媒体に対する情報信号の書込又は読取が行われる記憶媒体ドライブ装置を備えた電子機器であって、記憶媒体ドライブ装置は、記憶媒体を保持するホルダーと、記憶媒体の接続端子が接続される端子電極と、記憶媒体のスロットに対する挿入方向及び取出方向へ移動可能とされたプランジャーと、記憶媒体の係合凹部に係合されてホルダーに保持された記憶媒体をロックするロック位置と記憶媒体の係合凹部から引き抜かれてホルダーに保持された記憶媒体のロックを解除するロック解除位置との間をプランジャーの移動に伴って移動されるロック部材とを備え、少なくとも記憶媒体に対する情報信号の書込が行われている状態においてはロック部材が上記ロック位置に移動され、少なくとも記憶媒体に対する情報信号の書込及び読取が何れも行われていない状態においてはロック部材が上記ロック解除位置に移動されるようにしたことを特徴とする。
【００７１】
従って、プランジャー及びロック部材の配置スペースが小さくて済み、電子機器の小型化及び薄型化を図りつつ記憶媒体に対する情報信号の書込時における記憶媒体のスロットからの引き抜きを防止することができる。
【００７２】
請求項４に記載した発明にあっては、上記ロック部材を記憶媒体のスロットに対する上記挿入方向に対して傾斜された摺動孔を有する作用部と記憶媒体の係合凹部に係合されるロック突部とによって構成し、プランジャーに連結されると共にロック部材の摺動孔の傾斜方向と同じ方向に傾斜され摺動孔に摺動自在に支持される軸部を設け、プランジャーの移動に伴って軸部が作用部に対して移動されたときに、ロック部材をロック位置とロック解除位置との間で案内する案内部とを設けたので、ロック部材を移動させるための機構の簡素化を図ることができると共にロック部材のロック位置とロック解除位置との間の移動を確実に行うことができる。
【図面の簡単な説明】
【図１】図２及び図３と共に記憶媒体ドライブ装置に装着される記憶媒体を示すものであり、本図は拡大斜視図である。
【図２】接続端子の電極構造を示す概念図である。
【図３】内部構造及び接続端子の電極構造を示す概念図である。
【図４】記憶媒体ドライブ装置が設けられた電子機器の一例を示す斜視図である。
【図５】記憶媒体ドライブ装置の拡大斜視図である。
【図６】ホルダーに保持された記憶媒体がロックされていない状態を一部を断面にして示す拡大底面図である。
【図７】ホルダーに保持された記憶媒体がロックされた状態を一部を断面にして示す拡大底面図である。
【符号の説明】
１００…記憶媒体、１０５…接続端子、１０９…係合凹部、２００…電子機器、２０１ａ…スロット、１…記憶媒体ドライブ装置、２…ホルダー、４…ロック部材、９…端子電極、１５…プランジャー、１８…軸部、１９…作用部、１９ａ…摺動孔、２０…ロック突部、２１…案内部
【図１】
2004334562.tif 000003
【図２】
2004334562.tif 000004
【図３】
2004334562.tif 000005
【図４】
2004334562.tif 000006
【図５】
2004334562.tif 000007
【図６】
2004334562.tif 000008
【図７】
2004334562.tif 000009